(57)【要約】【課題】時延機能を持たない小型で安価な集積回路を使っても時延機能を持たせることができ、電子回路部を小型化し、コストを低減することができる漏電遮断器を提供する。【解決手段】漏電遮断器１は集積回路６の差動増幅器出力端子である４番ピンとグランドライン１２との間にコンデンサ１３を接続し、コンデンサ１３と並列に抵抗１４を接続して積分回路１５を構成し、積分回路１５と集積回路６の４番ピンとの間に逆流防止用のダイオード１６を接続する。そして、積分回路１５とダイオード１６の接続点を集積回路６のラッチ回路入力端子である５番ピンに接続する。【選択図】図１
2005108607.tif 000002
【特許請求の範囲】
【請求項１】
主回路に流れる漏洩電流を検出するための零相変流器と、該零相変流器からの漏電信号を差動増幅器で増幅して出力し、出力電圧が所定値に達するとラッチ回路が信号を出力する時延機能を持たない集積回路を実装した電子回路と、前記集積回路の出力信号により前記電子回路のスイッチング素子がオンすると励磁駆動するトリップコイルと、該トリップコイルの動作により前記主回路の開閉接点をオフする引き外し装置とを備えた漏電遮断器において、前記集積回路の差動増幅器出力端子とグランドラインとの間にコンデンサと抵抗を並列接続した積分回路を接続し、該積分回路と前記集積回路の差動増幅器出力端子との間に逆流防止用のダイオードを接続し、該ダイオードと前記積分回路の接続点を前記集積回路のラッチ回路入力端子に接続したことを特徴とする漏電遮断器。
【請求項２】
前記積分回路の抵抗を可変抵抗にしたことを特徴とする請求項１に記載の漏電遮断器。
【発明の詳細な説明】
【技術分野】
【０００１】
本発明は、時延機能付きの漏電遮断器に関する。
【背景技術】
【０００２】
図４に示すように漏電遮断器４１は主回路４２に流れる漏洩電流を検出するための零相変流器４３と、零相変流器４３の検出電流から漏電かどうかを判定して漏電と判定した場合に信号を出力する集積回路４６を実装した電子回路４７と、集積回路４６の出力信号により電子回路４７のスイッチング素子４８がオンすると励磁駆動するトリップコイル４９と、トリップコイル４９の動作により主回路４２の開閉接点５０をオフする引き外し装置５１とを備え、誤動作防止のために漏電検出から所定時間経過した際に主回路４２を遮断するようにした時延機能付きの漏電遮断器４１は一般的に時延機能を有する集積回路４６を使用して構成していた（例えば、特許文献１参照。）。
【特許文献１】特開平１１−１８２８３号公報
【発明の開示】
【発明が解決しようとする課題】
【０００３】
時延機能を有する集積回路は、一般的にインバータに対応するため等の余分な機能も付いているため、集積回路のサイズが大きいとともに外付けの部品が多いのでプリント基板が大きくなり、近年の小型化によって内部スペースの少なくなった漏電遮断器への配置が困難であり、また、コストがかかるという欠点があった。
【課題を解決するための手段】
【０００４】
本発明は、請求項１に記載の発明によれば、主回路に流れる漏洩電流を検出するための零相変流器と、零相変流器からの漏電信号を差動増幅器で増幅して出力し、出力電圧が所定値に達するとラッチ回路が信号を出力する時延機能を持たない集積回路を実装した電子回路と、集積回路の出力信号により電子回路のスイッチング素子がオンすると励磁駆動するトリップコイルと、トリップコイルの動作により主回路の開閉接点をオフする引き外し装置とを備えた漏電遮断器において、集積回路の差動増幅器出力端子とグランドラインとの間にコンデンサと抵抗を並列接続した積分回路を接続し、積分回路と集積回路の差動増幅器出力端子との間に逆流防止用のダイオードを接続し、ダイオードと積分回路の接続点を集積回路のラッチ回路入力端子に接続したことを特徴とする。
【０００５】
請求項２に記載の発明によれば、積分回路の抵抗を可変抵抗にしたことを特徴とする。
【発明の効果】
【０００６】
本発明の漏電遮断器は、時延機能を持たない小型で安価な集積回路を使っても時延機能を持たせることができ、余分な機能がないので電子回路部を小型化し、コストを低減することができる。また、高速遮断型漏電遮断器に用いる電子回路に部品点数が２つ増えるだけなのでプリント基板を共用化することができるという効果がある。
【発明を実施するための最良の形態】
【０００７】
漏電遮断器は集積回路の差動増幅器出力端子とグランドラインとの間にコンデンサと抵抗を並列接続した積分回路を接続し、積分回路と集積回路の差動増幅器出力端子との間に逆流防止用のダイオードを接続する。そして、積分回路とダイオードの接続点を集積回路のラッチ回路入力端子に接続する。
【実施例１】
【０００８】
本発明に係る漏電遮断器の第１実施例を図１の添付図面に基づいて説明する。
【０００９】
漏電遮断器１は、主回路２に流れる漏洩電流を検出するための零相変流器３と、零相変流器３からの漏電信号を差動増幅器４で増幅して出力し、出力電圧が所定値に達するとラッチ回路５が信号を出力する時延機能を持たない集積回路６を実装した電子回路７と、集積回路６の出力信号により電子回路７のスイッチング素子８がオンすると励磁駆動するトリップコイル９と、トリップコイル９の動作により主回路２の開閉接点１０をオフする引き外し装置１１とを備えて成っている。
【００１０】
集積回路６は、例えば三菱電機株式会社製Ｍ５４１２３を用いる。１番ピンと２番ピンは零相変流器３の出力線が接続され、１番ピンと２番ピンは差動増幅器４の入力に接続され、差動増幅器４の出力は４番ピンの差動増幅器出力端子に接続されている。
【００１１】
４番ピンの差動増幅器出力端子とグランドライン１２との間にはコンデンサ１３と抵抗１４を並列接続した積分回路１５を接続している。そして、積分回路１５と４番ピンとの間に逆流防止用のダイオード１６を接続し、積分回路１５とダイオード１６の接続点を５番ピンに接続する。
【００１２】
５番ピンはラッチ回路入力端子であり、ラッチ回路５の入力に接続されている。ラッチ回路５はまた、６番ピンのノイズ吸収用端子に接続され、６番ピンとグランドライン１２の間にはコンデンサ１７が接続されている。ラッチ回路５の出力は７番ピンのラッチ回路出力端子に接続され、スイッチング素子であるサイリスタ８のゲートに接続されている。３番ピンは電子回路７のグランドライン１２に接続され、８番ピンは電子回路７の電源ライン１８に接続されて、集積回路６を駆動するための電圧を発生させる定電圧回路１９に接続されている。
【００１３】
次に漏電遮断器１の動作について説明する。漏電遮断器１は、零相変流器３から１番ピンと２番ピンに漏電信号が入力されると差動増幅器４によって信号が増幅されて４番ピンから信号が出力され、積分回路１５のコンデンサ１３が充電される。抵抗１４はコンデンサ１３に充電される電荷を放電し、コンデンサ１３の充電時間を時延させるとともに、常時、４番ピンから出力されている微量の漏電信号をコンデンサ１３に充電されないようにして誤動作を防止している。また、ダイオード１６はコンデンサ１３に充電された電荷が４番ピンに逆流するのを防ぐ。コンデンサ１３が充電され、５番ピンのラッチ回路入力端子の入力電圧が所定値まで上昇するとラッチ回路５が動作し、７番ピンから信号を出力してサイリスタ８をオンさせる。サイリスタ８がオンするとトリップコイル９が励磁駆動し、引き外し装置１１を動作させて主回路２の開閉接点１０をオフにする。尚、コンデンサ１３の充電時間、即ち、時延時間は抵抗１４の抵抗値を変更することによって調整することができる。
【００１４】
また、高速遮断型の漏電遮断器は図２に示すように４番ピンとグランドライン１２との間にコンデンサ１３を接続し、４番ピンとコンデンサ１３との間の接続点を５番ピンに接続することによって構成でき、本発明の時延機能付きの漏電遮断器と電子回路がほとんど変わらないため、プリント基板を共用化することができる。
【実施例２】
【００１５】
本発明に係る漏電遮断器の第２実施例を図３の添付図面に基づいて説明する。尚、第１実施例と同一部分には同一符号を付して説明を省略する。
【００１６】
この実施例では積分回路１５の抵抗１４を可変抵抗３４にした点が第１実施例と異なっている。これにより、抵抗を付け替えることなく簡単な操作で時延時間を調整することができる。
【図面の簡単な説明】
【００１７】
【図１】本発明の第１実施例に係る漏電遮断器を示す回路図である。
【図２】高速遮断型の漏電遮断器を示す回路図である。
【図３】本発明の第２実施例に係る漏電遮断器を示す回路図である。
【図４】従来の漏電遮断器を示す回路図である。
【符号の説明】
【００１８】
１    漏電遮断器
２    主回路
３    零相変流器
４    差動増幅器
５    ラッチ回路
６    集積回路
７    電子回路
８    サイリスタ
９    トリップコイル
１０    開閉接点
１１    引き外し装置
１２    グランドライン
１３    コンデンサ
１４    抵抗
１５    積分回路
１６    ダイオード
１７    コンデンサ
１８    電源ライン
【図１】
2005108607.tif 000003
【図２】
2005108607.tif 000004
【図３】
2005108607.tif 000005
【図４】
2005108607.tif 000006